(57)【特許請求の範囲】
【請求項１】
制御装置と別体の遊技機の電源装置であって、島側電源装置から供給される交流電源の入力を許容するとともに島側電源装置から供給される交流電源の電圧を越えた交流電源の入力を遮断する入力側処理部と、入力側処理部から出力された交流電源を全波整流する全波整流回路と、全波整流回路から出力された直流電源を平滑する平滑コンデンサを有する平滑回路と、平滑回路から出力される同電位の直流電源を個別に受電するとともに前記制御装置を接続するための出力端とを備えた遊技機の電源装置において、一方の出力端と平滑回路とを常開形のリレー接点で接続し、このリレー接点をオン・オフするリレーコイルが全波整流回路から出力される直流電源に接続されたことを特徴とする遊技機の電源装置。
【請求項２】
他方の出力端にバックアップ手段を設けたことを特徴とする請求項１記載の遊技機の電源装置。
【請求項３】
バックアップ手段がコンデンサにより形成されたことを特徴とする請求項２記載の遊技機の電源装置。
【発明の詳細な説明】
【０００１】
【発明の属する技術分野】
本発明は、島側電源からの交流電源を遊技機に使用する直流電源に変換する電源装置に関する。
【０００２】
【従来の技術】
特開平１１−１２８４９４号公報には、公共機関による検査容易と遊技者に対する不正防止との観点から、遊技機の制御装置を主制御装置、図柄制御装置、効果音制御装置、表示灯制御装置、球払出制御装置、球発射制御装置等に機能分割することが開示されている。
【０００３】
【発明が解決しようとする課題】
しかし、前記従来のように制御装置を複数に機能分割すると、電源装置に接続される制御装置の数が多くなり、電源装置と機能分割された各制御装置との接続構造が複雑になることは否めない。
【０００４】
そこで、本発明は、複数の制御装置との接続簡素化が図れる電源装置を提供するものである。
【０００５】
本発明にあっては、制御装置と別体の遊技機の電源装置であって、島側電源装置から供給される交流電源の入力を許容するとともに島側電源装置から供給される交流電源の電圧を越えた交流電源の入力を遮断する入力側処理部と、入力側処理部から出力された交流電源を全波整流する全波整流回路と、全波整流回路から出力された直流電源を平滑する平滑コンデンサを有する平滑回路と、平滑回路から出力される同電位の直流電源を個別に受電するとともに前記制御装置を接続するための複数の出力端とを備えた遊技機の電源装置において、一方の出力端と平滑回路とを常開形のリレー接点で接続し、このリレー接点をオン・オフするリレーコイルが全波整流回路から出力される直流電源に接続されたことによって、停電により直流電源の供給を遮断する一方の出力端と平滑コンデンサに充電された直流電源の供給される他方の出力端とに分けて制御装置を接続すればよいことから、電源装置と複数の制御装置との接続が簡素化できるうえ、常開形のリレー接点とリレーコイルとからなるリレーを用いたことから、半導体スイッチに比較し、耐久性に優れ、電力損失が少なく、放熱対策も容易である。また、本発明にあっては、他方の出力端にバックアップ手段を設ければ、異なる複数の出力端の使い分けが容易である。また、本発明にあっては、バックアップ手段がコンデンサにより形成されれば、バックアップ手段の構成が簡単である。
【０００６】
【発明の実施の形態】
図１〜図５は本発明の第１実施形態であって、図１は電源装置１の概略構成を示し、図２は入力側処理部３の内部構造を示し、図３は直流電源生成部４の内部構造を示し、図４は遊技制御電力系統装置の詳細構成を示し、図５は出力部８１；８２の構造を示す。
【０００７】
図１を参照し、パチンコ機の電源装置１について説明する。電源装置１の電源スイッチ２が投入されると、ＡＣ２４ボルト（ＡＣ２４Ｖ）のような交流電源がパチンコ店の島側トランスのような島側電源装置２９から電源装置１の電源側入力端２８及び入力側処理部３を経由して直流電源生成部４に入力され、直流電源生成部４が交流電源を全波整流して粗整流の直流電源に変換し、その粗整流の直流電源をＤＣ１２ボルト（ＤＣ１２Ｖ）やＤＣ５ボルト（ＤＣ５Ｖ）のような定電圧の直流電源に変換する。入力側処理部３にはＡＣ２４ボルトのよう交流電源を出力する交流出力系統５が接続される。直流電源生成部４には、粗整流のＤＣ２４ボルトのような直流電源を出力する上位直流出力系統６、ＤＣ１２ボルトのような定電圧の直流電源を出力する中位直流出力系統８；９、ＤＣ５ボルトのような定電圧の直流電源を出力する下位直流出力系統１０；１１等が接続される。以下、上位直流出力系統６はＤＣ２４ボルト出力系統６とも称する。
【０００８】
ＤＣ２４ボルト出力系統６と中位直流出力系統９にはリレーよりなる断路手段１５が配置される。断路手段１５のリレーコイル１６がＤＣ２４ボルト出力系統６に接続され、断路手段１５の常開接点たるリレー接点１７が中位直流出力系統９に接続される。ＤＣ２４ボルト出力系統６は断路手段１５のオンオフ制御を行う。そして、リレー接点１７がオン動作することより、中位直流出力系統８が中位直流出力系統９と接続し、リレー接点１７がオフ動作することより、中位直流出力系統８が中位直流出力系統９より分離される。以下、中位直流出力系統８はＤＣ１２ボルトＳ出力系統（ＤＣ１２ボルト短保持系統）８とも称する。
【０００９】
中位直流出力系統９は小容量のコンデンサよりなるバックアップ手段１８を有するＤＣ１２ボルト出力系統を形成する。以下、中位直流出力系統９はＤＣ１２ボルトＬ出力系統（ＤＣ１２ボルト長保持系統）９とも称する。下位直流出力系統１０は小容量のコンデンサよりなるバックアップ手段１９を有するＤＣ５ボルト出力系統を形成する。以下、下位直流出力系統１０をＤＣ５ボルト出力系統１０とも称する。下位直流出力系統１１は大容量のコンデンサよりなるバックアップ手段２０とショットキーダイオード２１とを有するＤＣ５ボルト出力系統を形成する。以下、下位直流出力系統１１をＤＣ５ボルトＢ出力系統１１とも称する。ＤＣ５ボルトＢ出力系統１１は図４の主制御装置５１、特別図柄制御装置５２、球払出制御装置５５等のメモリとしてのＳＲＡＭに供給される電源となっている。
【００１０】
そして、電源スイッチ２が投入され、島側電源装置２９から電源装置１に交流電源が供給された状態において、交流出力系統５に接続された交流出力端２２ではＡＣ２４ボルト（ＡＣ２４Ｖと表記）のような交流電源を電源装置１の外部に取出すことができ、ＤＣ２４ボルト出力系統６に接続された上位直流出力端２３ではＤＣ２４ボルト（ＤＣ２４Ｖと表記）のような直流電源を電源装置１の外部に取出すことができ、ＤＣ１２ボルトＬ出力系統９に接続された中位直流出力端２５ではＤＣ１２ボルト（ＤＣ１２ＶＬと表記）のような直流電源を電源装置１の外部に取出すことができ、ＤＣ５ボルト出力系統１０に接続された下位直流出力端２６ではＤＣ５ボルト（ＤＣ５Ｖと表記）のような直流電源を電源装置１の外部に取出すことができ、ＤＣ５ボルトＢ出力系統１１に接続された下位直流出力端２７ではＤＣ５ボルト（ＤＣ５ＶＢと表記）のような直流電源を電源装置１の外部に取出せる。
【００１１】
又、直流電源生成部４からＤＣ２４ボルト出力系統６を経由してリレーコイル１６に粗整流の直流電源が供給され、リレー接点１７がオン動作すると、ＤＣ１２ボルトＳ出力系統８に接続された中位直流出力端２４ではＤＣ１２ボルト（ＤＣ１２ＶＳと表記）のような直流電源を電源装置１の外部に取出せる。逆に、リレーコイル１６への上記直流電源供給が遮断されると、リレー接点１７がオフ動作すると、直流電源生成部４から中位直流出力端２４への直流電源の供給が遮断される。
【００１２】
更に、直流電源生成部４からＤＣ１２ボルトＬ出力系統９及びＤＣ５ボルト出力系統１０；１１に出力された定電圧の直流電源がバックアップ手段１８；１９；２０に充電された状態において、電源スイッチ２が遮断操作されるか又は島側電源装置２９側で停電が発生した場合、交流出力端２２と上位直流出力端２３及び中位直流出力端２４では電源スイッチ２が遮断操作直後又は停電発生直後に電源が遮断されるが、中位直流出力端２５及び下位直流出力端２６；２７では、平滑回路４３中の平滑コンデンサの容量とバックアップ手段１８〜２０の容量及び中位直流出力端２４及び下位直流出力端２６；２７に接続された負荷での消費量に応じた時間だけバックアップ手段１８〜２０からの放電により電源が保持される。そして、ＤＣ５ボルト出力系統１０とＤＣ５ボルトＢ出力系統１１とにおいては、ＤＣ５ボルトＢ出力系統１１にショットキーダイオード２１が設けられたことから、下位直流出力端２６でのバックアップ手段１９からの放電が完了しても、バックアップ手段２０からの放電がショットキーダイオード２１で遮断されてＤＣ５ボルト出力系統１０に流れ込むことは防止される。よって、ＤＣ５ボルトＢ出力系統１１に接続されたＳＲＡＭのデータ保持時間は、平滑回路４３中の平滑コンデンサの容量と、バックアップ手段２０の容量と、ショットキーダイオード２１での漏れ電流（ショットキーダイオード２１からの逆流分）、平滑コンデンサやバックアップ手段２０のコンデンサの自己放電により決定される。
【００１３】
図２を参照し、入力側処理部３について説明する。入力側処理部３は、ヒューズ又はブレーカ等よりなる入力側過電流保護回路３１、１００ボルト検出回路３２、リレー３３、アラーム内部表示回路３４、リレー制御回路３５、スイッチ入力回路３６を備える。そして、島側電源装置２９が電源装置１の電源側入力端２８に配線された状態において、１００ボルト検出回路３２が電源側入力端２８及び過電流保護回路３１を経由して供給される交流電源を整流すると共に平滑し、その平滑電源から電源側入力端２８に接続された交流電源を検出し、上記平滑電源をリレー駆動電源としてリレー制御回路３５へ供給する。ここで、ＡＣ１００ボルト電源が電源側入力端２８に接続されたことを検出した場合は、１００ボルト検出回路３２がリレー制御回路３５へのリレー駆動電源の供給を遮断すると共にアラーム内部表示回路３４にアラーム出力を出力し、アラーム内部表示回路３４が電源側入力端２８へのＡＣ１００ボルト電源の接続を電源装置１の外側に表示するためのＬＥＤのような表示電気部品を駆動する。
【００１４】
リレー制御回路３５は、１００ボルト検出回路３２からのリレー駆動電源と、電源スイッチ２のオン又オフ動作に基づくスイッチ入力回路３６からのスイッチ入力信号と、図３のＤＣ５ボルト過電圧検出回路４６又はＤＣ１２ボルト過電圧検出回路４９からの過電圧検出信号とにより、リレー３３のリレーコイル３３ａへの電力供給又は遮断を制御する。つまり、１００ボルト検出回路３２がＡＣ１００ボルトを検出せず、ＤＣ５ボルト過電圧検出回路４６又はＤＣ１２ボルト過電圧検出回路４９が過電圧を検出していない場合、リレー制御回路３５は電源スイッチ２のオン又はオフ動作に応じてリレーコイル３３ａに電力を供給又は遮断する。
【００１５】
人為操作によりオン位置又はオフ位置の２位置を保持する機能を有する電源スイッチ２が電源装置１の外部より電源装置１のスイッチ入力部３７に接続された状態において、スイッチ入力回路３６は電源スイッチ２のオン又はオフ動作によるスイッチ入力信号をリレー制御回路３５に出力する。スイッチ入力部３７とリレー制御回路３５及びリレー３３がオンオフ回路を形成する。図２の結合子Ａは図３の結合子Ａに接続され、図２の結合子Ｂは図３の結合子Ｂに接続され、図２の結合子Ｃは図１の交流出力系統５に接続される。
【００１６】
図３を参照し、直流電源生成部４について説明する。直流電源生成部４は、ノイズフィルタ４１、全波整流回路４２、平滑コンデンサよりなる平滑回路４３、ＤＣ５ボルト過電流検出回路４４、ＤＣ５ボルト電源回路４５、ＤＣ５ボルト過電圧検出回路４６、ＤＣ１２ボルト過電流検出回路４７、ＤＣ１２ボルト電源回路４８、ＤＣ１２ボルト過電圧検出回路４９を備える。そして、図２のリレー接点３３ｂがオン動作した状態において、ノイズフィルタ４１が図２の入力側過電流保護回路３１よりリレー接点３３ｂを経由して入力されたＡＣ２４ボルトの交流電力に乗ってきた電源ラインノイズを除去すると共にＡＣ２４ボルトを全波整流回路４２に出力し、全波整流回路４２がＡＣ２４ボルトの交流電力を全波整流して平滑回路４３に出力し、平滑回路４３が電圧を平坦化してＤＣ５ボルト過電流検出回路４４及びＤＣ１２ボルト過電流検出回路４７を経由してＤＣ５ボルト電源回路４５及びＤＣ１２ボルト電源回路４８に個別に出力し、ＤＣ５ボルト電源回路４５が入力された電圧をＤＣ５ボルトの定電圧として出力し、ＤＣ１２ボルト電源回路４８が入力された電圧をＤＣ１２ボルトの定電圧として出力する。
【００１７】
ＤＣ５ボルト過電流検出回路４４はＤＣ５ボルト電源回路４５への流入電流を監視し、ＤＣ１２ボルト過電流検出回路４７はＤＣ１２ボルト電源回路４８への流入電流を監視する。もしも、ＤＣ５ボルト電源回路４５に電源装置１の下位直流出力端２６；２７（図１参照）を介して接続された制御装置が短絡した場合、上記監視している流入電流も異常に増加するため、ＤＣ５ボルト過電流検出回路４４は過電流と判断しその判断結果をＤＣ５ボルト電源回路４５へ伝達する。ＤＣ１２ボルト電源回路４８に電源装置１の中位直流出力端２４；２５（図１参照）を介して接続された制御装置が短絡した場合、上記監視している流入電流も異常に増加するため、ＤＣ１２ボルト過電流検出回路４７は過電流と判断しその判断結果をＤＣ１２ボルト電源回路４８へ伝達する。これによって、ＤＣ５ボルト電源回路４５ではＤＣ５ボルト過電流検出回路４４からの過電流検出信号を受けて、自らの出力電圧若しくは出力電流或いは双方を低下させることで自らを保護し、ＤＣ１２ボルト電源回路４８ではＤＣ１２ボルト過電流検出回路４７からの過電流検出信号を受けて、自らの出力電圧若しくは出力電流或いは双方を低下させることで自らを保護する。
【００１８】
ＤＣ５ボルト過電圧検出回路４６はＤＣ５ボルト電源回路４５より入力された電圧を検出し、検出電圧がＤＣ５ボルトより大きい場合は図２のリレー制御回路３５に過電圧検出信号を出力し、検出電圧がＤＣ５ボルト以下の場合は動作せずそのままＤＣ５ボルトを出力する。ＤＣ１２ボルト過電圧検出回路４９はＤＣ１２ボルト電源回路４８より入力された電圧を検出し、検出電圧がＤＣ１２ボルトより大きい場合はリレー制御回路３５に過電圧検出信号を出力し、検出電圧がＤＣ１２ボルト以下の場合は動作せずそのままＤＣ１２ボルトを出力する。図３の結合子Ｄは図１のＤＣ５ボルト出力系統１０に接続され、図３の結合子Ｅは図１のＤＣ１２ボルトＬ出力系統９に接続され、図３の結合子Ｆは図３のＤＣ２４ボルト出力系統６に接続される。
【００１９】
図４を参照し、パチンコ機の全体構造について説明する。電源装置１に配線される制御装置は、主制御装置５１、特別図柄制御装置５２、効果音制御装置５３、表示灯制御装置５４、球払出制御装置５５、球発射制御装置５６等に機能分割されている。主制御装置５１は、遊技盤の裏面に取付けられ、遊技制御装置と呼ばれることがあり、ＣＰＵとＲＯＭとＲＡＭとより成るマイクロコンピュータを内蔵し、主制御装置５１のマイクロコンピュータは、賞球関係各種スイッチ５７や遊技関係各種スイッチ５８及び賞球計数スイッチ５９から入力された検出信号が配線及び入力インターフェースを介して入力すると、ＣＰＵがＲＯＭに設定されたプログラムに基づき、ＲＡＭを処理過程の記憶手段として入力処理・エラー処理・図柄制御処理・賞球制御処理・外部情報処理・コマンドセット処理等の遊技全般の遊技処理を実行し、その処理結果であるコマンドを、出力インターフェース及び配線を介して、特別図柄制御装置５２、効果音制御装置５３、表示灯制御装置５４、球払出制御装置５５に別々の配線を介して個別に一方向に出力する。
【００２０】
主制御装置５１には、上記各制御装置５１〜５６に加え、球払出機構に設けられた賞球振動モータ６０、遊技盤に設けられたデジタル表示器のような普通図柄表示装置６１、各種ソレノイド６２、盤側外部情報基板６３等が配線により接続される。賞球振動モータ６０は主制御装置５１からの指示により駆動して振動を発生し球払出機構での球詰りを防止する。
【００２１】
遊技関係各種スイッチ５８はゲージ盤と呼ばれる遊技盤側に設けられ、検出信号を配線により主制御装置５１に入力する。遊技関係各種スイッチ５８には、特別図柄始動口スイッチ、普通図柄始動口スイッチ、役物連続作動スイッチ、カウントスイッチ、普通入賞口スイッチ等がある。特別図柄始動口スイッチは特別図柄表示装置６５を作動させるために特別図柄始動口装置に入賞した球を検出する。普通図柄始動口スイッチは普通図柄表示装置６１を作動させるために普通図柄始動口装置に入賞した球を検出する。役物連続作動スイッチは大入賞口装置の球取入口の開閉を所定回数連続作動させるために大入賞口装置の特定口（Ｖゾーン）に入賞した球を検出する。カウントスイッチは所定個数の球が大入賞口装置に入賞されることにより大入賞口装置の球取入口を閉じるために大入賞口装置に入賞した球を検出する。普通入賞口スイッチは普通入賞口装置に入賞した球を検出する。役物連続作動スイッチ以外の遊技関係各種スイッチ５８からの検出信号に対応した所定個数の賞球が払出される。
【００２２】
賞球関係各種スイッチ５７は遊技盤を格納する本体枠側に設けられ、検出信号を配線により主制御装置５１に出力する。賞球関係各種スイッチ５７には、賞球補給スイッチ、賞球待機スイッチ、賞球オーバーフロースイッチ等がある。賞球補給スイッチは球払出機構の球の有無を検出する。賞球待機スイッチは賞球を払出すべき球が球払出機構に準備されているか否かを検出する。賞球オーバーフロースイッチは上皿より下皿に流下して所定位置より上位にオーバーフローしたオーバーフロー球を検出する。
【００２３】
賞球計数スイッチ５９は、球払出機構より賞球として払出される球を１個ずつ検出し、検出信号を配線により主制御装置５１及び球払出制御装置５５に出力する。主制御装置５１及び球払出制御装置５５は賞球計数スイッチ５９からの検出信号により球払出機構より賞球として払出される球数を主制御装置５１及び球払出制御装置５５で管理する。
【００２４】
普通図柄表示装置６１は遊技関係各種スイッチ５８における普通図柄始動口スイッチからの検出信号による普通図柄を表示するための処理結果である主制御装置５１からの駆動信号により普通図柄を可変表示した後に停止する。そして、停止した普通図柄が主制御装置５１に定められた当り図柄である場合、主制御装置５１は特別始動入賞口装置の開閉部材を開状態にする駆動信号を特別始動入賞口装置の開閉部材を駆動するソレノイドに出力する。この停止した図柄が主制御装置５１に定められた当り図柄であるか外れ図柄であるかは、普通図柄の停止により行われるのではなく、主制御装置５１が普通図柄始動口スイッチからの検出信号により普通図柄可変処理及び普通図柄当り決定表示等の処理により決める。特別図柄始動入賞口装置は開閉部材が開状態となることにより球が入賞しやすくなる。
【００２５】
各種ソレノイド６２としては、普通図柄始動口装置の開閉部材を駆動するソレノイド、大入賞口装置の開閉部材を駆動するソレノイド、大入賞口装置の内部に入賞した球の経路を変える可動部材を駆動するソレノイド等である。主制御装置５１は遊技関係各種スイッチ５８における特別図柄始動口スイッチからの検出信号により特別図柄可変処理及び大当り決定表示等の処理を行う。そして、特別図柄表示装置６５が特別図柄を可変表示した後に停止し、停止した特別図柄が主制御装置５１に定められた当り図柄である場合、主制御装置５１は大入賞口装置の開閉部材を開閉動作する駆動信号を大入賞口装置の開閉部材を駆動するソレノイドに出力する。大入賞口装置は開閉部材が開閉動作されることにより球が入賞可能となる。盤側外部情報基板６３は主制御装置５１とパチンコ店の営業管理装置であるホールコンピュータに信号の送信を配線により行う。
【００２６】
主制御装置５１から盤側外部情報基板６３に出力される情報としては、特別図柄始動口スイッチからの検出情報、特別図柄確定情報、高確率情報、特別図柄回転時間短縮情報、大当り情報等である。特別図柄表示装置に所定の特別図柄が停止されることで遊技者に有利な大当りとなるが、所定の特別図柄の中でも特定の特別図柄が停止されることで大当りの確率が高くなると共に特別図柄の変動表示回数が所定回数例えば５０回の間は特別図柄の変動時間が短縮される。大当りの確率が高くなったことを示すのが高確率情報であり、特別図柄の変動時間が短縮されたことを示すのが特別図柄回転時間短縮情報である。大当り情報は遊技者にとって有利な大当りであることを示す情報である。球発射制御装置５６には主制御装置５１からコマンドが球払出制御装置５５と配線とを経由して一方向に出力される。
【００２７】
特別図柄制御装置５２は、遊技盤に取付けられた特別図柄表示装置６５の裏面に設けられ、主制御装置５１から入力されたコマンドにより特別図柄をパチンコ機のセンター役物として設けられた液晶やＬＥＤ又はＣＲＴ或いはプラズマディスプレイ等の特別図柄表示装置６５に表示するためのコンピュータによる制御処理を行い、その処理結果である駆動信号を配線により特別図柄表示装置６５に出力する。主制御装置５１から特別図柄制御装置５２へのコマンドの種類には、デモ表示、左図柄変動開始、中図柄変動開始、右図柄変動開始、左図柄変動停止（停止図柄指示）、中図柄変動停止（停止図柄指示）、右図柄変動停止（停止図柄指示）、大当り決定表示、大当り中表示、大入賞口装置Ｖスイッチ入賞表示、大当り終了表示、カウントエラー表示、賞球エラー表示等がある。
【００２８】
効果音制御装置５３は、遊技盤の裏面に設けられ、主制御装置５１から入力されたコマンドにより効果音を本体枠に設けられたスピーカ６６で発生するためのコンピュータによる制御処理を行い、その処理結果である駆動信号を配線によりスピーカ６６に出力する。主制御装置５１から効果音制御装置５３へのコマンドの種類には、図柄始動口入賞音、特別図柄変動中音、リーチ音、特別図柄停止音、大当り決定音、大当り中音、大当り終了音、エラー音等がある。
【００２９】
表示灯制御装置５４は、遊技盤の裏面に設けられ、主制御装置５１から入力されたコマンドにより遊技盤や遊技盤を格納するパチンコ機の図示しない本体枠に設けられた表示灯６７を点灯又は点滅するためのコンピュータによる制御処理を行い、その処理結果である駆動信号を配線により表示灯６７に出力する。主制御装置５１から表示灯制御装置５４へのコマンドの種類には、デモ表示、特別図柄変動中表示、リーチ（左、中図柄一致）表示、大当り決定表示、大当り中表示、大当り終了表示、エラー表示、大入賞口装置Ｖ入賞表示灯表示、大入賞口装置Ｖ入賞表示灯消灯、保留記憶表示灯１個表示、保留記憶表示灯２個表示、保留記憶表示灯３個表示、保留記憶表示灯４個表示、保留記憶表示灯全消灯、賞球表示灯表示、賞球表示灯消灯、完了表示灯表示、完了表示灯消灯等がある。
【００３０】
球払出制御装置５５は、本体枠に設けられ、主制御装置５１から入力されたコマンドにより賞球を払出すためのコンピュータによる制御処理を行い、その処理結果である駆動信号を配線により球払出機構の賞球ソレノイド６８に出力する。球払出制御装置５５には球発射制御装置５６、賞球ソレノイド６８、枠側外部情報基板６９が配線により接続される。主制御装置５１から球払出制御装置５５へのコマンドの種類には、賞球停止、賞球許可、発射禁止、発射許可、賞球数指示等がある。
【００３１】
プリペイドカード対応のパチンコ機の場合、球払出制御装置５５には貸出関係各種スイッチ７０、球払出機構の貸出球ソレノイド７１、貸出振動モータ７２、プリペイドカードユニット７３、パチンコ機に設けられたブザー７４が配線により接続される。球貸出関係各種スイッチ７０には、貸出球補給スイッチ、貸出球待機スイッチ、貸出球オーバーフロースイッチ等がある。貸出球補給スイッチは球払出機構の球の有無を検出する。貸出球待機スイッチは貸出球として払出すべき数の球が球払出機構に準備されているか否かを検出する。貸出球オーバーフロースイッチは上皿より下皿に流下して所定位置より上位にオーバーフローしたオーバーフロー球を検出する。ブザー７４は貸出球の払出開始を音で報知する。プリペイドカードユニット７３は、パチンコ機と隣接配置されており、パチンコ機の前側に設けられた上皿装置７５に設けられた貸出スイッチと配線により接続される。
【００３２】
そして、プリペイドカード対応のパチンコ機の場合、球払出制御装置５５は、プリペイドカードユニット７３との通信により上皿装置７５に設けられた図外の貸出操作スイッチから入力された球貸指示により貸球を払出すためのコンピュータによる制御処理を行い、その処理結果である駆動信号を貸出球ソレノイド７１に出力する。貸出振動モータ７２は球払出制御装置５５からの指示により駆動して振動を発生し球払出機構での球詰りを防止する。又、プリペイドカード対応のパチンコ機では、プリペイドカードユニット７３が適正に接続されていない場合は発射禁止信号が主制御装置５１から球払出制御装置５５を経由して球発射制御装置５６に送信され、プリペイドカードユニット７３が適正に接続されている場合は発射許可信号が主制御装置５１から球払出制御装置５５を経由して球発射制御装置５６に送信される。プリペイドカードユニット７３から上皿装置７５には貸出可能状態を遊技者に知らせるためのＬＥＤを点灯させる信号及び７セグメントＬＥＤのような度数表示器にカード残高やエラーを表示させる信号が送られる。球払出制御装置５５からプリペイドカードユニット７３にはプリペイドカードユニット７３と球払出制御装置５５とが接続されているか否かの確認信号やプリペイドカードユニット７３側の待機信号が有効な状態の時に貸出及び貸出完了の信号が送られる。プリペイドカードユニット７３から球払出制御装置５５には遊技機側の待機信号が有効な状態の時に貸出要求及び貸出完了の確認の信号が送られる。
【００３３】
枠側外部情報基板６９は球払出制御装置５５とホールコンピュータに信号の送信を配線により行う。枠側外部情報基板６９には、球払出制御装置５５に加え、扉開放スイッチ７６と球切れスイッチ７７とが配線により接続される。扉開放スイッチ７６は本体枠の前枠が開かれたことを検出する。球切れスイッチ７７はタンクの球が所定量以下になったことを検出する。そして、枠側外部情報基板６９からホールコンピュータに出力される外部情報としては、球払出制御装置５５からの賞球の払出数が所定数を超える毎に１パルス出力される賞球情報やプリペイドカードユニット７３による貸出しの１００円（貸出球数２５個分）毎に１パルス出力される球貸情報、扉開放スイッチ７６からの扉開放情報、球切れスイッチ７７からの補給情報等がある。球切れスイッチ７７からの補給情報によりホールコンピュータは島設備の補給機に補給を促す指示を出力する。
【００３４】
球発射制御装置５６は、本体枠に設けられ、主制御装置５１から球払出制御装置５５を介して入力された発射許可が入力された状態において遊技者が球発射機構中のハンドルを操作することにより球発射機構の電動アクチュエータとしての球発射ソレノイド７８をハンドルの操作量に応じて駆動するための制御処理を行い、その処理結果である駆動信号を配線により球発射ソレノイド７８に出力する。球発射制御装置５６への入力は、主制御装置５１から球払出制御装置５５を介する発射許可及び発射禁止情報、遊技者のハンドル操作量に応じて発射強度調整を行うボリューム情報、遊技者がハンドルに触れていることを確認するためのタッチスイッチからのタッチ情報、遊技者が球の発射を停止させるためのストップスイッチからの球発射停止情報等がある。
【００３５】
図５を参照し、電源装置１と制御装置との接続構造について説明する。電源装置１には複数の出力部８１；８２が並列に接続された形態に設けられる。出力部８１；８２は上位直流出力端２３と中位直流出力端２４；２５及び下位直流出力端２６；２７並びにグランドＧＮＤが接続された端子を有するコネクタにより形成される。出力部８１には主制御装置５１が接続される。出力部８２には球払出制御装置５５が接続される。
【００３６】
そして、電源装置１からＤＣ１２ボルトＬ出力系統９及び中位直流出力端２５を経由して主制御装置５１に送電されたＤＣ１２ボルトの定電圧の直流電源は図４の賞球関係各種スイッチ５７や遊技関係各種スイッチ５８及び賞球計数スイッチ５９並びに各種ソレノイド６２に用いられ、電源装置１からＤＣ１２ボルトＳ出力系統８及び中位直流出力端２４を経由して主制御装置５１に送電されたＤＣ１２ボルトの定電圧の直流電源は図４の賞球振動モータ６０や普通図柄表示装置６１に用いられ、電源装置１からＤＣ５ボルト出力系統１０；１１及び下位直流出力端２６；２７を経由して主制御装置５１に送電されたＤＣ５ボルトの定電圧の直流電源は主制御装置５１の動作に用いられる。
【００３７】
又、電源装置１からＤＣ１２ボルトＬ出力系統９及び中位直流出力端２５を経由して球払出制御装置５５に送電されたＤＣ１２ボルトの定電圧の直流電源は図４の賞球計数スイッチ５９や貸出関係各種スイッチ７０に用いられ、電源装置１からＤＣ１２ボルトＳ出力系統８及び中位直流出力端２４を経由して球払出制御装置５５に送電されたＤＣ１２ボルトの定電圧の直流電源は図４の賞球ソレノイド６８や貸出球ソレノイド７１及び貸出振動モータ７２並びにプリペイドカードユニット７３に用いられ、電源装置１からＤＣ５ボルト出力系統１０；１１及び下位直流出力端２６；２７を経由して球払出制御装置５５に送電されたＤＣ５ボルトの定電圧の直流電源は球払出制御装置５５の動作に用いられる。
【００３８】
球発射制御装置５６には球払出制御装置５５からＤＣ２４ボルトとＤＣ１２ボルトＬ出力系統９及びＤＣ５ボルト等の直流電源が供給される。又、図５には図示しないが、図４の特別図柄制御装置５２や効果音制御装置５３及び表示灯制御装置５４には、電源装置１の出力部８１から電源中継基板を経由してＤＣ１２ボルトＳ出力系統８及びＤＣ５ボルト等の直流電源が供給される。電源中継基板は電源装置１から主制御装置５１への給電にも用いられる。
【図面の簡単な説明】
【図１】本発明の第１実施形態を示す構成図。
【図２】同第１実施形態の入力側処理部を示す構成図。
【図３】同第１実施形態の直流電源生成部を示す構成図。
【図４】同第１実施形態の遊技制御電力系統装置の全体を示す構成図。
【図５】同第１実施形態の出力部を示す構成図。
【符号の説明】
１  電源装置
４  直流電源生成部
５  交流出力系統
６  上位直流出力系統
８；９  中位直流出力系統
１０；１１  下位直流出力系統
１５  断路手段
１６  リレーコイル
１７  リレー接点
１８；１９；２０  バックアップ手段
【図１】
0003565760.tif 000002
【図２】
0003565760.tif 000003
【図３】
0003565760.tif 000004
【図４】
0003565760.tif 000005
【図５】
0003565760.tif 000006